(57)【要約】【課題】  自動蓄尿検査装置において、本体内に収納された蓄尿部の尿から出る臭いを吸収して外部に漏れないようにすることである。【解決手段】  自動蓄尿検査装置１１において、蓄尿部１５の近傍に消臭部１６が配設されている。消臭部１６は、例えば、晒気漕２０、乾燥漕２１、吸着漕２２、ポンプ２３から成り、ポンプ２３が作動すると、蓄尿部１５の尿から発生する臭いを含む空気を、消臭部１６に循環させ、消臭する。従って、外部に臭いが漏れることはない。【選択図】  図１
2005140569.tif 000002
【特許請求の範囲】
【請求項１】
装置本体の筐体内に蓄尿用の容器を収納した蓄尿部が設けられた自動蓄尿検査装置であって、上記蓄尿部の近傍に消臭装置を配設したことを特徴とする自動蓄尿検査装置。
【請求項２】
前記消臭装置は、晒気漕と吸着漕から成ることを特徴とする請求項１記載の自動蓄尿検査装置。
【請求項３】
前記消臭装置は、晒気漕と吸着漕の間に乾燥漕を設けたことを特徴とする請求項２記載の自動蓄尿検査装置。
【請求項４】
装置内の空気を前記消臭装置に循環させる循環手段を設けたことを特徴とする請求項１記載の自動蓄尿検査装置。
【請求項５】
前記晒気漕の水を自動的に交換する手段を設けたことを特徴とする請求項２記載の自動蓄尿検査装置。
【請求項６】
前記循環手段の空気循環時間の設定手段を設けたことを特徴とする請求項４記載の自動蓄尿検査装置。
【発明の詳細な説明】
【技術分野】
【０００１】
本発明は、病院などの医療施設に設けられ、患者等から採取される尿を蓄尿および検査する自動蓄尿検査装置に係わり、特に、自動蓄尿検査装置内に収納される蓄尿中の尿から発生する臭気を消臭するための改良に関する。
【背景技術】
【０００２】
病院などにおける尿検査は、患者の健康状態把握のために重要な検査であるが、１回の採尿のみでは変動があるために、その日の患者の平均的な状態を把握するべく、１日分の尿を蓄尿しておき、蓄尿された尿を用いて各種検査を行う。そのために、病院では、例えば特開２００３−４３９３４（特許文献１）に示すような、１回毎の尿の量、及び比重を測定すると共に蓄尿するために、１人から５０人程度の患者が使用する自動蓄尿検査装置を、病室、共同のトイレ、汚物処理室等に設置している。
【０００３】
上記自動蓄尿検査装置においては、蓄尿用の容器が、密閉構造ではないので、尿からの非常に強い臭いが外部に出る欠点がある。この臭いの漏出を防ぐために、蓄尿機構部分を密閉構造にすることが行われているが、密閉性が充分でない場合には、臭いが漏れたり、また、蓄尿された尿を取り出すために、装置本体の扉を開けたときに、強い臭いが外部に出る欠点がある。また、装置本体に専用のダクトを設置し、屋外に臭いを出す構造としたものもあるが、ダクトの設置場所の自由度に制限があったり、設置が複雑、高価になる欠点がある。また、消臭するために、単純に装置本体内に活性炭を設置する方法もあるが、効果が充分でない欠点がある。  
上述したように従来の蓄尿検査装置では、尿の臭気が外部に漏出することにより、病室内等の環境上において大きな問題であると共に、患者に不快感を与える欠点がある。
【０００４】
【特許文献１】特開２００３−４３９３４号公報
【発明の開示】
【発明が解決しようとする課題】
【０００５】
本発明の課題は、自動蓄尿検査装置において、蓄尿されている尿から発生する臭いを消臭することができる構成とすることにより、上述した従来装置の問題点を解決することにある。
【課題を解決するための手段】
【０００６】
上記課題を解決するため、請求項１の発明の自動蓄尿検査装置は、装置本体内に蓄尿用の容器を収納した蓄尿部が設けられた自動蓄尿検査装置であって、上記蓄尿部の近傍に消臭装置を配設したことを要旨とする。
【０００７】
また、請求項２の発明は、請求項１の発明において、前記消臭装置は、晒気漕と吸着漕から成ることを要旨とする。
【０００８】
また、請求項３の発明は、請求項２の発明において、前記消臭装置は、晒気漕と吸着漕の間に乾燥漕を設けたことを要旨とする。
【０００９】
また、請求項４の発明は、請求項１の発明において、装置内の空気を前記消臭装置に循環させる循環手段を設けたことを要旨とする。
【００１０】
また、請求項５の発明は、請求項２の発明において、前記晒気漕の水を自動的に交換する手段を設けたことを要旨とする。
【００１１】
更に、請求項６の発明は、請求項４の発明において、前記循環手段の空気循環時間の設定手段を設けたことを要旨とする。
【発明の効果】
【００１２】
請求項１の発明によれば、蓄尿部の尿が発生する臭いを常時消臭できるので、臭いが装置本体から外部に漏れることを未然に防止することが可能となる。従って、装置の設置場所の制限がなくなり、各所に設置することが可能となる。
【００１３】
また、請求項２の発明によれば、晒気及び吸着の２種類の消臭効果によって尿が発生する臭いを効率よく除去できる。
【００１４】
また、請求項３の発明によれば、乾燥漕により水分を除去することにより、吸着漕内の吸着剤の効率を上げると共にその寿命を延ばすことができる。
【００１５】
また、請求項４の発明によれば、装置内の空気を強制的に消臭装置に循環させるので、より一層消臭効果が向上する。
【００１６】
また、請求項５の発明によれば、晒気漕には常に一定量の水が供給されて排出されるので、水は常に入れ替わり臭いを新たに溶解できる。
【００１７】
更に、請求項６の発明によれば、蓄尿量によって循環させる空気の流量或いは動作時間が制御され、循環手段を必要最小限のエネルギー消費に抑えることができる。
【発明を実施するための最良の形態】
【００１８】
自動蓄尿検査装置の蓄尿部の近傍には、消臭装置が設けられており、蓄尿部の尿から発生する臭いは上記消臭装置により常時強制的に吸収される。従って装置外部に臭いが漏れることはなく消臭効果が確保される。
【実施例】
【００１９】
図１は、患者名等の識別入力装置としてのタッチセンサー式表示パネルを備えた自動蓄尿検査装置の一実施例を示す。同図において、１０はタッチセンサー式表示パネル、１１は自動蓄尿検査装置の本体、１２は手動又は自動式で開閉可能の蓋、１３は尿投入口で、１４は扉、１５は蓄尿部、１６は消臭部である。
【００２０】
タッチセンサー式表示パネル１０は、例えば、所定の大きさのタッチセンサーパネルと液晶表示パネルとを積層して成り、複数の表示区域１０ａを有し、各表示区域は患者名又はその記号（Ａ〜Ｓ）を表示する。但し、少なくとも１つの表示区域１０ｂは次ページキーの表示としてもよい。
【００２１】
上述した構成のタッチセンサー式表示パネル１０は、蓋１２によって開閉される尿投入口１３の後方に設けられている。なお、上記次ページキーは複数のページに患者名又はその記号を表示する場合、各ページを選択するために使用され、このキーにタッチする毎に次ページの患者名又はその記号が表示され、この次ページキーを設けることによって多くのページに表示することができる。
【００２２】
尿投入口１３から投入された尿は、尿受け部１１ａよりバルブ１１ｂを介して尿量／比重測定部１１ｃに至る。この測定部１１ｃではその尿の量及び比重が測定され、測定後の尿は尿保存機構１１ｄに一時的に保存される。尿は尿保存機構１１ｄからの尿は尿分注機構１１ｅによって蓄尿部１５の各尿保存容器１１ｆに下記のようにして分注される。
【００２３】
例えば、この尿保存容器１１ｆは５〜５０個の容器が円環状に配列され、図示していない尿処理コントローラの指令によって定められた容器まで回転する。そして、指定の容器が所定位置に停止した時、尿分注機構１１ｅが下降して尿保存機構１１ｄからの尿をその容器に注入する。なお、尿保存容器１１ｆを固定し、尿分注機構１１ｅを回転させるようにしてもよい。
【００２４】
上記装置において、患者がタッチセンサー式表示パネル１０の自己の名前の表示区域にタッチすると、タッチセンサーパネル１０ａからそのタッチに応じた信号が出力され、その信号に応答して装置内の図示していない投入口コントローラによって、蓋１２が開放される。
【００２５】
その後、患者は尿を尿投入口１３に投入する。投入された尿は測定部１２ｃで投入された尿の容量及び比重が測定される。その後、尿の全部又はその一部が尿保存機構１１ｄに保存され、必要でない尿はバルブ１１ｈ及びパイプ１１ｇを介して排出されると共に必要な尿は尿分注機構１１ｅにより各尿保存容器１１ｆに分注、保存される。
【００２６】
蓄尿部１５は軸１７を中心にベース１８上に尿保存容器１１ｆが円筒状に配置されていて、この蓄尿部１５の近傍に消臭部１６が配設されている。なお、本体１１には、開閉可能な扉１４が設けられ、蓄尿部１５の尿保存容器１１ｆを出し入れすることができる。この扉１４を閉めると、測定部１１ｃ、尿保存機構１１ｄ、尿分注機構１１ｅ、蓄尿部１５及び消臭部１６を装置内に密閉することができる。
【００２７】
本発明の自動蓄尿検査装置においては、装置本体に配設された蓄尿部１５の近傍に消臭部１６を設けたことを特徴としており、その一構成例を図２及び図３に示す。図２において、２０は晒気漕、２１は乾燥漕、２２は吸着漕及び２３はポンプである。なお、乾燥漕２１は省略してもよく、必要に応じて設ければよい。
【００２８】
蓄尿部１５の尿から発生する臭いの付いた空気がポンプ２３によりパイプ２４を介して吸引され、晒気漕２０に導入されて消臭される。晒気漕２０から出た空気はパイプ２５を介して乾燥漕２１に入る。乾燥漕２１で乾燥された空気はパイプ２６を介して吸着漕２２に入る。吸着漕２２で更に消臭された空気はパイプ２７を介してポンプ２３に吸引され、ポンプ２３を出た空気はパイプ２９を介して装置内に戻される。なお、晒気漕２０の水はパイプ３０を介して水供給部３１より供給され、パイプ３２より排出されるようになっている。
【００２９】
図３は消臭部１６の晒気漕２０、乾燥漕２１及び吸着漕２２の概略構成を示しており、晒気漕２０には水３３が入れられている。パイプ２４を介して吸引された臭い付きの空気は該パイプ２４の先端に取り付けられた多孔質の空気分散具３４から水中に細かい気泡３５となって分散される。この時、空気中の水溶性の臭いは水中に溶解して除去される。なお、晒気漕２０内には、供給水供給部３１より常時一定量の水が供給されパイプは常に入れ替わっており、臭いを新たに溶解できるようにしている。
【００３０】
乾燥漕２１には乾燥剤３６、例えばシリカゲル等が充填されている。晒気漕２０により水溶性の臭いが除去された空気は、パイプ２５を介して乾燥漕２１に導入され、乾燥剤３６によってその水分が除去される。
【００３１】
吸着漕２２には吸着剤３７、例えば、活性炭等が充填されている。乾燥漕２１により水分が除去された空気は、パイプ２６を介して吸着漕２２に導入され、吸着剤３７により臭いが吸着される。吸着漕２２を出た空気はパイプ２７を介してポンプ２３を通って装置内に戻される。このように、晒気及び吸着によって尿の臭いはほぼ完全に除去される。なお、乾燥漕２１は必要に応じて設ければよいものであるが、これを用いて水分を除去するように構成すると、吸着剤の吸着効率を上げると共にその寿命を延ばすことができる。
【００３２】
また、ポンプ２３は次のような機能を有するコントローラ３８によって駆動するのが好適である。即ち、装置内部の蓄尿部１５の尿の量によって、消臭部１６を作動するポンプ２３による空気の流量又は動作時間をコントローラ３８によって制御する構成とする。  
かかる構成によれば、消臭のためのエネルギーを必要最小限のエネルギー消費に抑えることができる。
【００３３】
図４は消臭部１６の他の概略構成を示す。同図において、図３と異なる点は、吸着漕２２の構成であり、２２ａは光触媒部材、２２ｂは紫外線ランプ、２２ｃは透明部である。  光触媒部材２２ａは、例えば、酸化チタンを布又はプラスチック部材にコーティングしたもので、吸着漕２２に収納されており、紫外線ランプ２２ｂからの紫外線が透明部２２ｃを介して照射されるようになっている。光触媒部材２２ａは、酸化チタンに紫外線が照射されると、揮発性有機化合物や悪臭の分解が行われ、二酸化炭素や水などの無害な物質に変化する。このような酸化還元作用により汚水や細菌、臭いを分解除去する効果があるので、尿の臭いに含まれるアンモニア、硫化水素、メチルカプタン等の悪臭の要因が分解されることにより消臭できる。光触媒部材２２ａには紫外線ランプ２２ｂに代えて、紫外線を含む太陽光を照射するようにしてもよい。
【００３４】
このように、光触媒部材を使用することにより、消臭部材の交換が不要になる利点がある。他の消臭部材としては、活性炭を用いてもよい。しかし、活性炭は寿命があるので、交換が必要である。
【産業上の利用可能性】
【００３５】
本発明は、病院などの医療施設に設けられる自動蓄尿検査装置に適用できる。
【図面の簡単な説明】
【００３６】
【図１】本発明の自動蓄尿検査装置の一実施例を示す概略図である。
【図２】本発明において使用される消臭装置の一例を示す図である。
【図３】上記消臭装置の一構成例を示す図である。
【図４】上記消臭装置の他の構成例を示す図である。
【符号の説明】
【００３７】
１０  タッチセンサー式表示パネル
１１  自動蓄尿検査装置
１２  蓋
１３  尿投入口
１４  扉
１５  蓄尿部
１６  消臭部
【図１】
2005140569.tif 000003
【図２】
2005140569.tif 000004
【図３】
2005140569.tif 000005
【図４】
2005140569.tif 000006